(57)【要約】【課題】  美麗で高級感があり、しかも、強靱で破損しにくい筆記具を提供する。【解決手段】  筆記具本体２が木材により構成された筆記具であって、筆記具本体２が木材により羽根ペンにおける鳥の羽根に模して形成されている。また、筆記具本体２は、鳥の羽根の羽根軸をイメージさせる芯材層１３と、鳥の羽根における羽根軸の両側の羽毛部分をイメージさせる一対の外側層１４とを備え、芯材層１３と一対の外側層１４とは、芯材層１３を一対の外側層１４で両側から挟むように重合状に配置されて互いに接合されている。【選択図】図１
0003177464.tif 000002
【実用新案登録請求の範囲】
【請求項１】
筆記具本体（２）が木材により構成された筆記具であって、筆記具本体（２）が木材により羽根ペンにおける鳥の羽根に模して形成されていることを特徴とする筆記具。
【請求項２】
筆記具本体（２）は、鳥の羽根の羽根軸をイメージさせる芯材層（１３）と、鳥の羽根における羽根軸の両側の羽毛部分をイメージさせる一対の外側層（１４）とを備え、芯材層（１３）と一対の外側層（１４）とは、芯材層（１３）を一対の外側層（１４）で両側から挟むように重合状に配置されて互いに接合されていることを特徴とする請求項１に記載の筆記具。
【請求項３】
筆記具本体（２）の芯材層（１３）又は一対の外側層（１４）には、木材の木目を利用して鳥の羽根の毛をイメージさせる縞模様（１７）が形成されていることを特徴とする請求項２に記載の筆記具。
【請求項４】
筆記具本体（２）の一対の外側層（１４）は、第１板材（２１）と第２板材（２２）とを交互に積み重ねてなる合板により構成され、第１板材（２１）と第２板材（２２）との積層を利用して鳥の羽根の毛をイメージさせる縞模様（１７）が一対の外側層（１４）に形成されていることを特徴とする請求項２に記載の筆記具。
【請求項５】
筆記具本体（２）は、鳥の羽根の羽根軸のカーブをイメージさせるように弓形に湾曲形成されていることを特徴とする請求項１〜４のいずれかに記載の筆記具。
【考案の詳細な説明】
【技術分野】
【０００１】
本考案は、ボールペン、万年筆等の筆記具に関するものである。
【背景技術】
【０００２】
従来のボールペン、万年筆等の筆記具には、筆記具本体が木材により形成されたものがある（例えば特許文献１）。
また、他の従来のボールペン等の筆記具には、鳥の羽根の主軸内にボールペン用軸部を設けた羽根ペンがある（例えば特許文献２）。
【先行技術文献】
【特許文献】
【０００３】
【特許文献１】特開２００６−１８１７２６号公報
【特許文献２】実用新案登録第３００７８４９号公報
【考案の概要】
【考案が解決しようとする課題】
【０００４】
しかし、従来の前者の筆記具では、筆記具本体の長手方向に収納軸孔を形成し、この筆記具本体の収納軸孔にペン先又はボールを有する共にインキ収納管を有するペン芯を組み込んだものであり、その筆記具本体は単に木材により円筒状に形成したものであるから、装飾性に欠け、高級感に乏しいものであった。
従来の後者の筆記具では、筆記具本体を実際の鳥の羽根により構成しているため、強靱性に欠けて破損しやすいだけでなく、やはり装飾性及び高級感に欠けるものであった。
本考案は上記問題点に鑑み、美麗で高級感があり、しかも、強靱で破損しにくい筆記具を提供することを目的とする。
【課題を解決するための手段】
【０００５】
本考案における課題解決のための具体的手段は、次の通りである。
この技術的課題を解決する本考案の技術的手段は、筆記具本体２が木材により構成された筆記具であって、筆記具本体２が木材により羽根ペンにおける鳥の羽根に模して形成されている点にある。
また、本考案の他の技術的手段は、筆記具本体２は、鳥の羽根の羽根軸をイメージさせる芯材層１３と、鳥の羽根における羽根軸の両側の羽毛部分をイメージさせる一対の外側層１４とを備え、芯材層１３と一対の外側層１４とは、芯材層１３を一対の外側層１４で両側から挟むように重合状に配置されて互いに接合されている点にある。
また、本考案の他の技術的手段は、筆記具本体２の芯材層１３又は一対の外側層１４には、木材の木目を利用して鳥の羽根の毛をイメージさせる縞模様１７が形成されている点にある。
また、本考案の他の技術的手段は、筆記具本体２の一対の外側層１４は、第１板材２１と第２板材２２とを交互に積み重ねてなる合板により構成され、第１板材２１と第２板材２２との積層を利用して鳥の羽根の毛をイメージさせる縞模様１７が一対の外側層１４に形成されている点にある。
また、本考案の他の技術的手段は、筆記具本体２は、鳥の羽根の羽根軸のカーブをイメージさせるように弓形に湾曲形成されている点にある。
【考案の効果】
【０００６】
請求項１によれば、羽根ペンのもつ優雅でかつ厳粛な雰囲気を表現することができ、筆記具本体を木材により美麗で高級感のあるものに形成することができる。しかも、筆記具本体が木材により形成されているため、実際の羽根ペンに比べて、靭性が高く衝撃にも強いため、強靱で破損しにくくなる。
また、筆記具本体の外表面に年輪がきれいな木目模様となって現れ、デザイン的にも美しくなり、天然素材を生かして高級感を飛躍的に向上させることができる。更に、塗装すると、木材の木目が浮き出し美しく仕上がる利点もある。
請求項２によれば、筆記具本体全体で羽根ペンを効果的にイメージさせることができ、しかも、筆記具本体を木材の材質や木目等を利用して美麗に仕上げることができ、外観が向上すると共に高級感が得られる。
請求項３によれば、筆記具本体に鳥の羽根の毛をイメージさせる木目（柾目）による縞模様が美しく表われ、木材の木目を利用して装飾効果を効果的に発揮させ、筆記具を美麗に仕上げることができる。しかも、天然素材をそのまま生かすことができるため、複雑なデザインを施すような面倒が不要になり、筆記具を安価かつ容易に製造できる。
請求項４によれば、第１板材と第２板材とを交互に積み重ねてなる合板により、鳥の羽根の毛をイメージさせる縞模様を簡単かつ鮮明に表示することができ、いままでにない高級感が得られる。しかも、木の天然素材を生かして、筆記具を製造容易で安価に製造できる。
請求項５によれば、木材の加工性に優れて加工を施しやすい点を生かして、鳥の羽根の羽根軸のカーブをうまく表現することができ、筆記具を美麗に仕上げてさらに高級感があるものになし得る。
【図面の簡単な説明】
【０００７】
【図１】本考案の第１実施形態を示す筆記具の斜視図である。
【図２】同筆記具の先端側の断面図である。
【図３】本考案の第２実施形態を示す筆記具の斜視図である。
【図４】本考案の第３実施形態を示す筆記具の斜視図である。
【図５】本考案の筆記具を収納保持するための筆記具立ての斜視図である。
【考案を実施するための形態】
【０００８】
以下、本考案の実施の形態を図面に基づいて説明する。
図１〜図２は本考案の第１実施形態を示している。図１〜図２において、筆記具であるボールペン１は、木材により構成された筆記具本体２と、筆記具本体２内に組み込まれたペン芯３とを備える。
例えば、図２に示すように、筆記具本体２の長手方向（上下方向）に収納軸孔６が形成され、この収納軸孔６にボール８を有する共にインキ収納管９を有するペン芯３が組み込まれ、ペン芯３は先端キャップ１０を介して筆記具本体２の先端部（下端部）に装着されている。
図１において、筆記具本体２は杉、ユーカリ、公孫樹その他の木材により羽根ペンにおける鳥の羽根に模して形成されている。
筆記具本体２は、素材として異なる木材を接合し、接着剤で貼り合わせ、サンドペーパーで表面をブラッシングした後、刷毛を用いて２液型ウレタン塗料を２〜３回下地塗りし、その後自然乾燥し、さらに、２〜３回の仕上げ塗りを行って完成したものであり、鳥の羽根の羽根軸をイメージさせる芯材層１３と、鳥の羽根における羽根軸の両側の羽毛部分をイメージさせる一対の外側層１４とを備え、芯材層１３と一対の外側層１４とは、芯材層１３を一対の外側層１４で両側から挟むように重合状に配置されて互いに接合されている。
芯材層１３と一対の外側層１４とは、それぞれ筆記具本体２の長手方向の全長に亘る長さを有し、芯材層１３の厚み方向両側に、一対の外側層１４が接着剤により接着固定されている。
筆記具本体２の一対の外側層１４には、木材の木目（柾目）を利用して鳥の羽根の毛をイメージさせる外側方上がりに傾斜した多数の縞模様１７が形成されている。
即ち、一対の外側層１４は、柾目の板をその柾目が外側方上がりに傾斜して表れるように柾目に対して傾斜する方向に切断してなり、外側方上がりの柾目による縞模様１７が芯材層１３を挟んでＶ字状に表れるように芯材層１３に接合されている。
そして、筆記具本体２は、その芯材層１３と一対の外側層１４とが鳥の羽根の羽根軸のカーブをイメージさせるように弓形に湾曲形成されている。
上記第１実施形態によれば、筆記具本体２が木材により羽根ペンにおける鳥の羽根に模して形成されているので、羽根ペンのもつ優雅でかつ厳粛な雰囲気を表現することができ、筆記具本体２を木材により美麗で高級感のあるものに形成することができる。しかも、筆記具本体２が木材により形成されているため、実際の羽根ペンに比べて、靭性が高く衝撃にも強いため、強靱で破損しにくくなる。
また、筆記具本体２の外表面に年輪がきれいな木目模様となって現れ、デザイン的にも美しくなり、天然素材を生かして高級感を飛躍的に向上させることができる。更に、塗装すると、木材の木目が浮き出し美しく仕上がる利点もある。
また、筆記具本体２は、鳥の羽根の羽根軸をイメージさせる芯材層１３と、鳥の羽根における羽根軸の両側の羽毛部分をイメージさせる一対の外側層１４とを備え、芯材層１３と一対の外側層１４とは、芯材層１３を一対の外側層１４で両側から挟むように重合状に配置されて互いに接合されているので、筆記具本体２全体で羽根ペンを効果的にイメージさせることができ、しかも、筆記具本体２を木材の材質や木目等を利用して美麗に仕上げることができ、外観が向上すると共に高級感が得られる。
また、筆記具本体２の一対の外側層１４には、木材の木目（柾目）を利用して鳥の羽根の毛をイメージさせる外側方上がりに傾斜した縞模様１７が形成されているので、筆記具本体２の両側に鳥の羽根の毛をイメージさせる木目（柾目）による縞模様１７が美しく表われ、木材の木目を利用して装飾効果を効果的に発揮させ、ボールペン（筆記具）１を美麗に仕上げることができる。しかも、天然素材をそのまま生かすことができるため、複雑なデザインを施すような面倒が不要になり、筆記具１を安価かつ容易に製造できる。
また、筆記具本体２は、鳥の羽根の羽根軸のカーブをイメージさせるように弓形に湾曲形成されているので、木材の加工性に優れて加工を施しやすい点を生かして、鳥の羽根の羽根軸のカーブをうまく表現することができ、筆記具１を美麗に仕上げてさらに高級感があるものになし得る。
図３は本考案の第２実施形態を示している。図３において、筆記具本体２の芯材層１３は、一対の芯材体１３ａ，１３ｂを左右に接合してなり、一対の芯材体１３ａ，１３ｂには木材の木目（柾目）を利用して鳥の羽根の毛をイメージさせる外側方上がりに傾斜した多数の縞模様１７が形成されている。
即ち、一対の芯材体１３ａ，１３ｂは、柾目の板をその柾目が外側方上がりに傾斜して表れるように柾目に対して傾斜する方向に切断してなり、外側方上がりの柾目による縞模様１７がＶ字状に表れるように互いに接合されている。
筆記具本体２の一対の外側層１４は、芯材層１３の左右両側に接着材により接合されており、この第２実施形態では、一対の外側層１４には目立つような木目（柾目）による縞模様が表れないように構成されている。その他の点は前記第１実施形態の場合と同様の構成である。
第２実施形態の場合、前記第１実施形態の場合と同様に、筆記具本体２が木材により羽根ペンにおける鳥の羽根に模して形成されているので、羽根ペンのもつ優雅でかつ厳粛な雰囲気を表現することができ、筆記具本体２を木材により美麗で高級感のあるものに形成することができる。しかも、筆記具本体２が木材により形成されているため、実際の羽根ペンに比べて、靭性が高く衝撃にも強いため、強靱で破損しにくくなる。
そして、第２実施形態では、筆記具本体２の芯材層１３には、木材の木目（柾目）を利用して鳥の羽根の毛をイメージさせる外側方上がりに傾斜した縞模様１７が形成されているので、筆記具本体２に鳥の羽根の毛をイメージさせる木目（柾目）による縞模様１７が美しく表われ、木材の木目を利用して装飾効果を効果的に発揮させ、筆記具１を美麗に仕上げることができる。しかも、天然素材をそのまま生かすことができるため、複雑なデザインを施すような面倒が不要になり、筆記具１を安価かつ容易に製造できる。
図４は本考案の第３実施形態を示している。図４において、筆記具本体２は、第１実施形態の場合と同様に、杉やユーカリ等の木材により羽根ペンにおける鳥の羽根に模して形成され、鳥の羽根の羽根軸をイメージさせる芯材層１３と、鳥の羽根における羽根軸の両側の羽毛部分をイメージさせる一対の外側層１４とを備え、芯材層１３と一対の外側層１４とは、芯材層１３を一対の外側層１４で両側から挟むように重合状に配置されて互いに接合されている。
そして、筆記具本体２の一対の外側層１４は、例えば白っぽい色の第１板材２１と黒っぽい色の第２板材２２とを交互に積み重ねてなる合板により構成され、第１板材２１と第２板材２２との積層を利用して鳥の羽根の毛をイメージさせる外側方上がりに傾斜した縞模様１７が一対の外側層１４に形成されている。その他の点は前記第１実施形態の場合と同様の構成である。
第３実施形態によれば、第１実施形態の場合と同様に、筆記具本体２が木材により羽根ペンにおける鳥の羽根に模して形成されているので、羽根ペンのもつ優雅でかつ厳粛な雰囲気を表現することができ、筆記具本体２を木材により美麗で高級感のあるものに形成することができる。しかも、筆記具本体２が木材により形成されているため、実際の羽根ペンに比べて、靭性が高く衝撃にも強いため、強靱で破損しにくくなる。
また、第３実施形態では、筆記具本体２の一対の外側層１４は、第１板材２１と第２板材２２とを交互に積み重ねてなる合板により構成され、第１板材２１と第２板材２２との積層を利用して鳥の羽根の毛をイメージさせる外側方上がりに傾斜した縞模様１７が一対の外側層１４に形成されているので、合板により鳥の羽根の毛をイメージさせる縞模様１７を簡単かつ鮮明に表示することができ、いままでにない高級感が得られる。しかも、木の天然素材を生かして、筆記具１を製造容易で安価に製造できる。
図５は前記第１実施形態乃至第３実施形態における筆記具１を収納保持するために使用される筆記具立て（ボールペン立て）２５を示している。図５において、筆記具立て２５は木材によりＬ字状に形成され、水平状の載置部２７と載置部２７の一端部から上方に突出した起立部２８とを有している。
載置部２７の起立部２８側の中途部に上端面から下方に没入した収納凹部２９が形成され、収納凹部２９に筆記具（ボールペン）１の先端側を嵌合挿入して、筆記具１を上方突出状に保持するようになっている。
なお、前記実施形態では、本考案の筆記具をボールペン１に適用実施しているが、本考案の筆記具はボールペン１に代えて万年筆その他の筆記具にも適用実施することができ、万年筆に本考案の筆記具を適用する場合には、ペン芯３にボール８に代えてペン先を取り付けるようにすればよい。
【符号の説明】
【０００９】
１      ボールペン（筆記具）
２      筆記具本体
１３    芯材層
１４    外側層
１７    縞模様
２１    第１板材
２２    第２板材
【図１】
0003177464.tif 000003
【図２】
0003177464.tif 000004
【図３】
0003177464.tif 000005
【図４】
0003177464.tif 000006
【図５】
0003177464.tif 000007